(57)【要約】【課題】操作性及び視認性を向上させた工作機の表示装置及び射出成形機の表示装置を提供する。【解決手段】水平方向に回転自在に回転軸部１６を軸支し、回転軸部１６と一体に形成された旋回軸部１７を回転軸部１６に対して平行に配置する。旋回軸部１７の長手方向に沿って上下にスライド移動可能であると共に旋回軸部１７の円周方向に回転可能に液晶表示パネル１２を取り付ける。回転軸部１６を水平方向に回転させた際、旋回軸部１７に取り付けられた液晶表示パネル１２が、回転軸部１６を中心として旋回移動するので、旋回軸部１７に取り付けられた液晶表示パネル１２は、回転軸部１６を中心軸として自由に旋回移動させることができるので操作性がよい。【選択図】図２
2008137265.tif 000002
【特許請求の範囲】
【請求項１】
水平方向に回転自在に軸支された回転軸部と、該回転軸部と一体に設けられると共に該回転軸部に対し平行に配置された旋回軸部と、該旋回軸部の長手方向に沿って上下にスライド移動可能であると共に該旋回軸部の円周方向に回転可能に取り付けられた表示パネルとを備え、前記回転軸部を水平方向に回転させた際、前記旋回軸部に取り付けられた表示パネルが、前記回転軸部を中心として旋回移動することを特徴とする工作機の表示装置。
【請求項２】
一体に設けられた前記回転軸部と旋回軸部の形状は円筒状であり、これら回転軸部と旋回軸部の前記円筒状の内部が連設されていることを特徴とする請求項１記載の工作機の表示装置。
【請求項３】
前記回転軸部と旋回軸部とは、これら回転軸部と旋回軸部とほぼ同形状の傾斜部により一体に連結され、該傾斜部の円筒状の内部が、前記回転軸部と旋回軸部との前記円筒状の内部と連設されていることを特徴とする請求項１又は２記載の工作機の表示装置。
【請求項４】
請求項１〜３の何れか１項に記載の工作機の表示装置において、前記工作機は射出成形機であり、該射出成形機における動作条件や動作状況が前記表示パネルに表示されることを特徴とする射出成形機の表示装置。
【発明の詳細な説明】
【技術分野】
【０００１】
本発明は、射出成形機などの工作機に備えられた表示装置に関し、特に、射出成形機における動作条件や動作状況などを表示するための表示装置に関する。
【背景技術】
【０００２】
従来から射出成形機などの工作機においては、その動作条件や動作状況などを表示する表示装置が備えられている。例えば、特許文献１には、射出成形機に固定した支持部と表示器との間にヒンジ機構部を介在させ、このヒンジ機構部により表示器を左右及び上下方向に回転させることにより、表示器の角度を見易いように自由に変更でき、表示器の後方に配置された射出装置を旋回する際、射出装置の射出ノズル側が表示器に接触しないように表示器を回転することができる射出成形機の表示器支持装置が開示されている。また、特許文献２には、表示部と設定部とを上下に並べた制御パネルを９０°回転可能に設け、メインテナンス作業時などに、邪魔にならない位置まで制御パネルを回転することで、作業性の向上を図ることを目的とした成形機が開示されている。
【０００３】
【特許文献１】特開２００３−３２０５４９号公報
【特許文献２】実公平５−３８９０３号公報
【発明の開示】
【発明が解決しようとする課題】
【０００４】
前記特許文献１及び２においては、表示器を回転する中心位置が相対的に決まっているため、表示器の後部に配置された装置などのメインテナンス作業をする際には、できるだけ作業の邪魔にならないよう、表示器を回転させ向きを変えてから作業を行っている。しかし、表示器の回転範囲内は９０°などと決まっており、表示装置自身の回転中心位置が移動するわけではないことから、単に、表示器を定位置で回転させるに過ぎず、表示器を作業の邪魔にならない位置に遠ざけることはできないので、表示器が邪魔となってしまい、表示器の後部に配置された装置のメインテナンス作業などが円滑に行うことが困難であった。
【０００５】
そこで本発明は、上記課題に鑑みてなされたものであり、射出成形機などの工作機に備えられた表示パネルを見易い向きなどに自由に回転できると共に表示パネル自身を所望位置へと旋回移動することができる、自由度が高く操作性及び視認性を向上させた工作機の表示装置及び射出成形機の表示装置を提供することを目的とする。
【課題を解決するための手段】
【０００６】
請求項１に係る工作機の表示装置は、水平方向に回転自在に軸支された回転軸部と、該回転軸部と一体に設けられると共に該回転軸部に対し平行に配置された旋回軸部と、該旋回軸部の長手方向に沿って上下にスライド移動可能であると共に該旋回軸部の円周方向に回転可能に取り付けられた表示パネルとを備え、前記回転軸部を水平方向に回転させた際、前記旋回軸部に取り付けられた表示パネルが、前記回転軸部を中心として旋回移動することを特徴とする。
【０００７】
請求項２に係る工作機の表示装置は、請求項１の工作機の表示装置において、一体に設けられた前記回転軸部と旋回軸部の形状は円筒状であり、これら回転軸部と旋回軸部の前記円筒状の内部が連設されていることを特徴とする。
【０００８】
請求項３に係る工作機の表示装置は、請求項１又は２記載の工作機の表示装置において、前記回転軸部と旋回軸部とは、これら回転軸部と旋回軸部とほぼ同形状の傾斜部により一体に連結され、該傾斜部の円筒状の内部が、前記回転軸部と旋回軸部との前記円筒状の内部と連設されていることを特徴とする。
【０００９】
請求項４に係る射出成形機の表示装置は、請求項１〜３の何れか１項に記載の工作機の表示装置において、前記工作機は射出成形機であり、該射出成形機における動作条件や動作状況が前記表示パネルに表示されることを特徴とする。
【発明の効果】
【００１０】
工作機たる射出成形機の表示装置の発明によれば、水平方向に回転自在に回転軸部を軸支し、回転軸部と一体に形成された旋回軸部を回転軸部に対して平行に配置し、旋回軸部の長手方向に沿って上下にスライド移動可能であると共に旋回軸部の円周方向に回転可能に表示パネルを取り付けたので、旋回軸部に取り付けられた表示パネルは、回転軸部を中心軸として旋回させることができるので、表示パネルを水平方向に自由に旋回移動させることができ、さらに、旋回軸部に取り付けられた表示パネルの高さを見易いように上下に調整することができ、且つ、見易い位置になるように、表示パネルを旋回軸部の円周方向に回転させることができるので、操作性と視認性を両立することができる。
【００１１】
さらに、回転軸部と旋回軸部との円筒状の内部は、これらとほぼ同形状の傾斜部の円筒状の内部により連設されているので、外部に露出しないように表示パネルなどに接続される接続ケーブルを円筒状の内部に収容することが可能となる。
【００１２】
さらに、工作機は射出成形機であり、射出成形機の動作条件や動作状況を表示パネルに表示することで簡単に射出成形機の稼動状況を視認することができるので視認性及び操作性に優れると共に、表示パネルを旋回移動することが可能なので、例えば、表示装置の後方に配置されている金型を着脱したり、或いは、メインテナンス作業のために射出ノズルを旋回させた際に、旋回された射出ノズルが表示パネルに接近し、接触しそうになったとしても、旋回軸部に対して表示パネルを回転或いは上下にスライド移動したり、或いは、回転軸部を中心として、表示パネルを水平方向に旋回移動させることにより、射出ノズルから表示パネルを遠ざけることができるので、射出ノズルとの接触に伴う表示パネルの破損を防止することができると共に、メインテナンス作業を円滑に行うことができる。
【発明を実施するための最良の形態】
【００１３】
以下、本発明を実施するための最良の形態としての実施例を図１〜図１１により以下に説明する。もちろん、本発明は、その発明の趣旨に反しない範囲で、実施例において説明した以外の構成のものに対しても容易に適用可能なことは説明を要するまでもない。
【００１４】
図１は射出成形機を示す正面図、図２は射出成形機を示す平面図である。なお、図１及び図２で示した表示装置の配置位置は、以下、基本位置として説明するものとする。図３は基本位置状態における表示装置を示す正面図、図４は基本位置状態における表示装置を示す側面図、図５は基本位置状態における表示装置を示す平面図、図６は基本位置状態における表示装置を示す一部切欠き断面図、図７は表示装置の基本位置から回転軸部を中心として支持部材を９０°旋回移動した状態の表示装置を示す正面図、図８は表示装置の基本位置から回転軸部を中心として支持部材を９０°旋回移動した状態の表示装置を示す側面図、図９は表示装置の基本位置から回転軸部を中心として支持部材を９０°旋回移動した状態の表示装置を示す平面図、図１０は図９で示した状態から旋回軸部を中心として液晶表示パネルを反時計回りに９０°回転させた状態の表示装置を示す平面図、図１１は図１０で示した状態から旋回軸部を中心として液晶表示パネルを時計回りに４５°回転させた状態の表示装置を示す平面図である。
【００１５】
工作機たる射出成形機１は、プラスチックなどの成形体を成形するものであり、この射出成形機１の機台２上には、型締めユニット３及び射出ユニット４が設けられている。型締めユニット３は、相互に型開閉される固定金型５と可動金型６を備えており、トグル機構９などの型開閉手段によって、固定金型５に対し可動金型６を進退させ、型閉じ（型締め）、及び型開きを行う。
【００１６】
金型の型締め時に形成されるキャビティに、ホッパ７に投入された粒状の樹脂であるペレットを溶融樹脂として供給する際には射出ユニット４が用いられる。この射出ユニット４には、加熱シリンダ８、加熱シリンダ８内に設けられたスクリュー、加熱シリンダ８の先端に組み付けられた射出ノズル１０を備え、モータなどの駆動力を駆動源として、加熱シリンダ８内のスクリューを回転させることで溶融樹脂を搬送させ、次に溶融樹脂を射出ノズル１０の先端から金型間のキャビティに射出する。
【００１７】
１１は、射出ノズル１０の先端の近傍に配置された表示装置である。この表示装置１１は、射出成形機１の動作条件や動作状況などを表示する液晶表示パネル１２、円筒状の支持部材１３、旋回ブラケット１４を構成する。支持部材１３は、その基端部１５が機台２に対して回転自在に軸支された回転軸部１６と、回転軸部１６と平行関係を有すると共に旋回ブラケット１４が取り付けられる旋回軸部１７と、回転軸部１６と旋回軸部１７とを一体に連結する傾斜部１８とにより構成され、回転軸部１６の軸線方向は垂直となっているので、回転軸部１６は水平方向に回転する。
【００１８】
また、支持部材１３の上部には、合成樹脂製であって逆U字型である円筒状の挿通パイプ２０の一方端が挿通されており、この一方端の反対側に位置する他方端は、液晶表示パネル１２の背面に形成された開口孔２１を覆うようにして取り付けられている。
【００１９】
また、挿通パイプ２０の他方端側は、蛇腹部２２を有しており、旋回ブラケット１４を介して旋回軸部１７に取り付けられた液晶表示パネル１２を上下にスライド移動させるのに伴い、蛇腹部２２が伸縮する。なお、回転軸部１６、旋回軸部１７、及傾斜部１８の円筒状の内部は連設しており、これら回転軸部１６、旋回軸部１７、及び傾斜部１８からなる支持部材１３の円筒状の内部には、接続コード２４が外部に露出しないように収納され、収納されている接続コード２４が開口孔２１を介して液晶表示パネル１２に接続されている。また、支持部材１３の上部に挿通された挿通パイプ２０は、逆U字型に配置されているので、円筒状の支持部材１３の内部にゴミや埃が堆積することを防止できる。
【００２０】
旋回ブラケット１４は、旋回軸部１７に、スライド移動自在（旋回軸部１７の上下方向）及び旋回軸部１７の円周方向に回転可能に取り付けられた一対の挟持部材２５ａ，２５ｂを有しており、固定ボルト２７を締め付けることで、一対の挟持部材２５ａ，２５ｂが、これらの間に介在された旋回軸部１７を挟持し、旋回軸部１７の所望位置に旋回ブラケット１４を保持することができ、旋回ブラケット１４に取り付けられた液晶表示パネル１２の高さ及び向きを簡単に調整することができる。
【００２１】
また、旋回ブラケット１４に一体的に構成されるパネル取付部材３０は、液晶表示パネル１２の背面部に螺子などにより一体に取り付けられており、パネル取付部材３０は、旋回ブラケット１４に備えたハンドル３１の回動動作に連動して傾動することから、ハンドル３１を回動させることにより、液晶表示パネル１２を前傾や後傾などに傾けることが可能となっている。
【００２２】
以上のように本実施例における表示装置１１によれば、旋回軸部１７を中心として、液晶表示パネル１２を回転させることができ、さらに、旋回軸部１７に取り付けられた液晶表示パネル１２を旋回軸部１７の長手方向（上下方向）に沿ってスライド移動させ高さ調整することができ、しかも、ハンドル３１を回動させ、液晶表示パネル１２を見易い向きに簡単に傾斜させることができる。
【００２３】
また、旋回軸部１７に旋回ブラケット１４を介して取り付けられた液晶表示パネル１２は、回転軸部１６を中心軸として支持部材１３を旋回させることにより、液晶表示パネル１２を水平方向に自由に旋回移動させることができる。よって、射出成形機１の稼動時に、液晶表示パネル１２の後方に配置された金型や射出ノズル１０を目視しながら、液晶表示パネル１２を見易い位置に自由に配置でき、液晶表示パネル１２に表示されている射出成形機の動作条件や動作状況を一瞥して把握することができるので、操作性と視認性を両立した表示装置１１を得ることができる。
【００２４】
また、表示装置１１の後方に配置されている金型などを着脱したり、或いは、図２における２点鎖線で示したように、メインテナンス作業のために射出ノズル１０を表示装置１１の後方側に旋回させた際、旋回させた射出ノズル１０が、液晶表示パネル１２に接近してしまい、射出ノズル１０が液晶表示パネル１２に接触しそうな場合があったとしても、回転軸部１６を中心として、液晶表示パネル１２を水平方向に旋回させることで、射出ノズル１０から液晶表示パネル１２を遠ざけることができるので、射出ノズル１０との接触に伴う液晶表示パネル１２などの破損を防止することができる。
【００２５】
以上、本実施例の一実施例を詳述したが、本発明は、前記実施例に限定されるものではなく、本発明の要旨の範囲内で種々の変形実施が可能である。本実施例における液晶表示パネル１２は、回転軸部１６を中心として、所望位置に自由に旋回移動させることが可能であるが、旋回された射出ノズル１０などが液晶表示パネル１２と接触することがないよう、射出ノズル１０と接触しない範囲で、液晶表示パネル１２の旋回される回転角度を、９０°や１８０°などに回転範囲を規制するストッパーなどを採用し、液晶表示パネル１２の旋回移動角度を制限してもよい。
【図面の簡単な説明】
【００２６】
【図１】本実施例における射出成形機を示す正面図である。
【図２】同上、射出成形機を示す平面図である。
【図３】同上、基本位置状態における表示装置を示す正面図である。
【図４】同上、基本位置状態における表示装置を示す側面図である。
【図５】同上、基本位置状態における表示装置を示す平面図である。
【図６】同上、基本位置状態における表示装置を示す一部切欠き断面図である。
【図７】同上、表示装置の基本位置から、回転軸部を中心として支持部材を９０°旋回移動した状態の表示装置を示す正面図である。
【図８】同上、表示装置の基本位置から、回転軸部を中心として支持部材を９０°旋回移動した状態の表示装置を示す側面図である。
【図９】同上、表示装置の基本位置から、回転軸部を中心として支持部材を９０°旋回移動した状態の表示装置を示す平面図である。
【図１０】同上、図９で示した状態から、旋回軸部を中心として液晶表示パネルを反時計回りに９０°回転させた状態の表示装置を示す平面図である。
【図１１】同上、図１０で示した状態から、旋回軸部を中心として液晶表示パネルを時計回りに４５°回転させた状態の表示装置を示す平面図である。
【符号の説明】
【００２７】
１  射出成形機（工作機）
１１  表示装置
１２  液晶表示パネル（表示パネル）
１６  回転軸部
１７  旋回軸部
１８  傾斜部
【図１】
2008137265.tif 000003
【図２】
2008137265.tif 000004
【図３】
2008137265.tif 000005
【図４】
2008137265.tif 000006
【図５】
2008137265.tif 000007
【図６】
2008137265.tif 000008
【図７】
2008137265.tif 000009
【図８】
2008137265.tif 000010
【図９】
2008137265.tif 000011
【図１０】
2008137265.tif 000012
【図１１】
2008137265.tif 000013